(57)【要約】【課題】マンションなどの玄関ドアを交換することなく、ドアの室内側のみをリフォームすることにより新たな構造や外観を有するドアを得る。【解決手段】金属製の板材を折曲成形してドアの周縁部に中空の周縁部分１ａを室内側の板材の板面よりも突出させてほぼ枠状に形成してなる既設のドア１のリフォーム方法であって、既設のドアの室内側に取り付けられた部品２，３を除去する工程と、ドアに付設された可動部品２ａ，３ａを可動不能な状態に固定する工程と、ドアの室内側の板面であって周縁部分により囲まれた板材の表面に心材５を配置する工程と、心材を覆うように周縁部分の内周形状に対応した形状のパネル部材６を取り付ける工程と、周縁部分とパネル部材の境界部分に飾り枠部材７を取り付ける工程と、ドアの室内側の板面、パネル部材又は飾り枠部材の表面の少なくとも１つを塗料により塗り替える工程とを備えた。【選択図】図７
2005248642.tif 000002
【特許請求の範囲】
【請求項１】
既設のドアをリフォームするドアのリフォーム方法であって、前記ドアの室内側に取り付けられた部品を除去する工程と、前記ドアの室内側の板面に心材を配置する工程と、前記心材を覆うように板状のパネル部材を取り付ける工程とを備えたことを特徴とするドアのリフォーム方法。
【請求項２】
室内側に取り付けられた部品を除去する工程の後に、当該部品に対応して前記ドアに付設された可動部品を可動不能な状態に固定する工程を付加したことを特徴とする請求項１記載のドアのリフォーム方法。
【請求項３】
板状のパネル部材を取り付ける工程の後に、当該パネル部材の周縁部に沿って飾り枠部材を取り付ける工程を付加したことを特徴とする請求項１記載のドアのリフォーム方法。
【請求項４】
飾り枠部材を取り付ける工程の後に、ドアの室内側の板面、パネル部材又は飾り枠部材の表面の少なくとも１つを塗料により塗り替える工程を付加したことを特徴とする請求項１記載のドアのリフォーム方法。
【請求項５】
既設のドアをリフォームするドアのリフォーム方法であって、前記ドアの室内側に取り付けられた部品を除去する工程と、前記部品に対応して前記ドアに付設された可動部品を可動不能な状態に固定する工程と、前記ドアの室内側の板面に心材を配置する工程と、前記心材を覆うように板状のパネル部材を取り付ける工程と、前記パネル部材の周縁部に沿って飾り枠部材を取り付ける工程と、前記ドアの室内側の板面、パネル部材又は飾り枠部材の表面の少なくとも１つを塗料により塗り替える工程とを備えたことを特徴とするドアのリフォーム方法。
【請求項６】
金属製の板材を折曲成形して当該ドアの周縁部に中空の周縁部分を室内側の板材の板面よりも突出させてほぼ枠状に形成してなる既設のドアをリフォームするドアのリフォーム方法であって、前記既設のドアの室内側に取り付けられた部品を除去する工程と、前記部品に対応して前記ドアに付設された可動部品を可動不能な状態に固定する工程と、前記ドアの室内側の板面であって前記周縁部分により囲まれた板材の表面に心材を配置する工程と、前記心材を覆うように前記周縁部分の内周形状に対応した形状を有する板状のパネル部材を取り付ける工程と、前記周縁部分と前記パネル部材の境界部分に沿って飾り枠部材を取り付ける工程と、前記ドアの室内側の板面、パネル部材又は飾り枠部材の表面の少なくとも１つを塗料により塗り替える工程とを備えたことを特徴とするドアのリフォーム方法。
【請求項７】
請求項１〜６のいずれかに記載されたドアのリフォーム方法によりリフォームされたことを特徴とするドア。
【発明の詳細な説明】
【技術分野】
【０００１】
本発明は、既設のドアを基本的な構造部分はそのまま利用して新たな構造のドアにリフォーム（改修）するドアのリフォーム方法及びこのリフォーム方法によりリフォームされたドアに関する。
【背景技術】
【０００２】
年代の古いマンションなどの集合住宅においてはスチール製の板材をプレス加工して製造されたいわゆるプレスドアが使用されている場合がある。
【発明の開示】
【発明が解決しようとする課題】
【０００３】
マンションの居室のリフォームを行う場合において玄関ドアをそのままにしておくとその室内側の外観が古めかしく又は不調和と感じられる場合が多い。この場合においては、ドアを新しいタイプのものに交換すればこのような問題は生じないが、マンションなどの集合住宅では玄関ドアは共用部分として位置づけされている場合があり、このような位置づけがなされているマンションなどでは居住者の都合でドアの交換をすることはできない。
【０００４】
本発明は、かかる事情に鑑みてなされたもので、マンションなどの集合住宅の玄関ドアを交換することなく、主としてドアの室内側のみをリフォームすることにより新たな構造や外観を有するドアを得るためのドアのリフォーム方法及びこのリフォーム方法によりリフォームされたドアを提供することを目的とする。
【課題を解決するための手段】
【０００５】
本発明の請求項１記載のドアのリフォーム方法は、既設のドアをリフォームするドアのリフォーム方法であって、前記ドアの室内側に取り付けられた部品を除去する工程と、前記ドアの室内側の板面に心材を配置する工程と、前記心材を覆うように板状のパネル部材を取り付ける工程とを備えたことを特徴とする。
【０００６】
本発明の請求項２記載のドアのリフォーム方法は、室内側に取り付けられた部品を除去する工程の後に、当該部品に対応して前記ドアに付設された可動部品を可動不能な状態に固定する工程を付加したことを特徴とする。
【０００７】
本発明の請求項３記載のドアのリフォーム方法は、板状のパネル部材を取り付ける工程の後に、当該パネル部材の周縁部に沿って飾り枠部材を取り付ける工程を付加したことを特徴とする。
【０００８】
本発明の請求項４記載のドアのリフォーム方法は、飾り枠部材を取り付ける工程の後に、ドアの室内側の板面、パネル部材又は飾り枠部材の表面の少なくとも１つを塗料により塗り替える工程を付加したことを特徴とする。
【０００９】
本発明の請求項５記載のドアのリフォーム方法は、既設のドアをリフォームするドアのリフォーム方法であって、前記ドアの室内側に取り付けられた部品を除去する工程と、前記部品に対応して前記ドアに付設された可動部品を可動不能な状態に固定する工程と、前記ドアの室内側の板面に心材を配置する工程と、前記心材を覆うように板状のパネル部材を取り付ける工程と、前記パネル部材の周縁部に沿って飾り枠部材を取り付ける工程と、前記ドアの室内側の板面、パネル部材又は飾り枠部材の表面の少なくとも１つを塗料により塗り替える工程とを備えたことを特徴とする。
【００１０】
本発明の請求項６記載のドアのリフォーム方法は、金属製の板材を折曲成形して当該ドアの周縁部に中空の周縁部分を室内側の板材の板面よりも突出させてほぼ枠状に形成してなる既設のドアをリフォームするドアのリフォーム方法であって、前記既設のドアの室内側に取り付けられた部品を除去する工程と、前記部品に対応して前記ドアに付設された可動部品を可動不能な状態に固定する工程と、前記ドアの室内側の板面であって前記周縁部分により囲まれた板材の表面に心材を配置する工程と、前記心材を覆うように前記周縁部分の内周形状に対応した形状を有する板状のパネル部材を取り付ける工程と、前記周縁部分と前記パネル部材の境界部分に沿って飾り枠部材を取り付ける工程と、前記ドアの室内側の板面、パネル部材又は飾り枠部材の表面の少なくとも１つを塗料により塗り替える工程とを備えたことを特徴とする。
【発明の効果】
【００１１】
本発明の請求項１〜５記載のドアのリフォーム方法によれば、以下のような効果を奏する。
【００１２】
（１）室内側に配置された部品（例えば郵便受け部品や牛乳受け部品）が除去されるので、その後のリフォームが容易になるとともに、不要又は古めかしいと思われる不適切な部品がないすっきりとした室内側の外観をもったドアを得ることができる。
【００１３】
（２）心材によりドアに所定の強度をもたせることができるとともに、ドアの室内側の板面との間に所定の厚さをもった空間を形成することができ、既設のドアに凹所が形成されているものでもその凹所を埋めることができる。
【００１４】
（３）パネル部材により心材が覆われて見えなくなるとともに、ドアの室内側の板面に平板形状をもたせることができる。
【００１５】
（４）可動部材が可動不能に固定されるので、室外側か可動部材を動かすことができなくなり、例えば新聞や郵便物などを投入できなくでき、しかも可動部材はそのままであるので、外観に変化を与えることがなく共用部分に対する規制をクリアーすることができる。
【００１６】
（５）飾り枠部材により既設のドアとパネル部材との境界部を覆い隠すことができ、しかも意匠的効果をももたせることができる。
【００１７】
（６）ドアの室内側板面、パネル部材、飾り枠部材などを居室の色彩などに対応して塗り替えることができ、統一感のある室内を得ることができる。
【発明を実施するための最良の形態】
【００１８】
以下、添付図面を参照して、本発明の実施の形態のドアのリフォーム方法について説明する。
【００１９】
図１はマンションなどの集合住宅の玄関に取り付けられている既設のドアのリフォーム前の状態を示す図であり、同（ａ）は室内側の外観図を示し、（ｂ）はその縦断面図であり、（ｃ）は室外側の外観図を示す。
【００２０】
すなわち、既設のドア１はスチール製の板材を折曲成形して形成されたもので、ドア１の周縁部には中空状の周縁部分１ａが室内側の板材の板面１ｂよりも突出した状態でほぼ枠状に形成されている。ドア１の板材には室外側の板面１ｃから室内側の板面１ｂに貫通して郵便物などを投入する投入口１ｄが形成され、投入口１ｄには蓋体２ａ（可動部品）が開閉自在に取り付けられている。この投入口１ｄの室内側の板面１ｂには郵便物などが貯留される郵便受け部品２（室内側取付部品）が固定されている。同じく、ドア１の板材には室外側の板面１ｃから室内側の板面１ｂに貫通して宅配牛乳が投入される投入口１ｆが形成され、この投入口１ｆには蓋体３ａ（可動部品）が揺動自在に取り付けられ、この蓋体３ａの室内側には牛乳受け部品３（室内側取付部品）が取り付けられている。ドア１の板材には室外側の板面１ｃから室内側の板面１ｂに貫通して円形の小孔１ｇが形成され、この小孔１ｇには覗き部品（スコープ）４が取り付けられている。
【００２１】
このような構造のドア１をリフォームするには、まず図２に示す状態とする。同図（ａ）は室内側の外観図、（ｂ）はその縦断面図であり、（ｃ）は室外側の外観図である。図２に示すように、郵便受け部品２と牛乳受け部品３とを取り外して撤去する。投入口１ｄ又は投入口１ｆに取り付けられている蓋体２ａ又は３ａは存置させておく。
【００２２】
次に、図３に示す状態とする。同図（ａ）は室内側の外観図、（ｂ）はその縦断面図であり、（ｃ）は室外側の外観図である。図３に示すように、投入口１ｄ及び投入口１ｆに取り付けられた蓋体２ａ，３ａが可動不能に、室内側から投入口１ｄ及び投入口１ｆに対して溶接して固定する（溶接部分２ｂ，３ｂ参照）。この溶接部分は図示のようにスポットであっても、投入口１ｄ及び投入口１ｆの全周であってもよい。なお、蓋体２ａ，３ａの固定方法としては、溶接ではなくて、接着剤による固定、固定用金具やスペーサーを用いた固定、ネジ止めによる固定などの適宜の方法を採用することができる。
【００２３】
次に、図４に示す状態とする。同図（ａ）は室内側の外観図、（ｂ）はその縦断面図である。図４に示すように、ドア１の室内面であって周縁部分１ａにより囲まれた凹所の板材の板面１ｂにハニカム状の心材５を配置する。心材５は金属製が好ましいが、場合によってはプラスチックやウレタンフォームのような発泡材であってもよい。
【００２４】
次に、図５に示す状態とする。同図（ａ）は室内側の外観図、（ｂ）はその縦断面図である。図５に示すように、心材５を覆うように周縁部分１ａの内周形状に対応した寸法形状をなす方形板状のスチール製などのパネル部材６を取り付ける。さらに、周縁部分１ａとパネル部材６とが接する境界部に沿ってスポット溶接して、パネル部材６をドア１の室内側に固定する（溶接部分６ａ参照）。また、パネル部材６の固定方法としては、溶接ではなくても、接着剤による固定、固定用金具やスペーサーを用いた固定、ネジ止めによる固定などの適宜の方法を採用することができる。なお、パネル部材６としては、接着などの方法により固定するのであれば、プラスチックなどの材料を採用することができる。
【００２５】
次に、図６に示す状態とする。同図（ａ）は室内側の外観図、（ｂ）はその縦断面図である。図６に示すように、周縁部分１ａとパネル部材６の境界部分に沿って木製の飾り枠部材７を接着剤により取り付ける。飾り枠部材７としては、場合によってはプラスチックなどの材料を採用することができる。図７に示すように、飾り枠部材７の表面には滑らかに曲率が変化する曲率変化面７ａが形成され、背面にはスポット的に位置する溶接部分６ａを逃げるためのカット面７ｂが部分的に形成されている。次に、覗き部品４の室内側に覗き窓キャップ８を取り付ける。覗き窓キャップ８はその上部でピンにより揺動自在に取り付けられ、覗き部品４から外を覗く場合にピンを中心として揺動させて使用する。なお、覗き部品４を一切使用しない場合には、覗き窓キャップ８を覗き部品４の室内側を覆うようにパネル部材６又は覗き部品４に接着剤などにより固定してもよい。
【００２６】
上記実施の形態に係るドアのリフォーム方法では、ドア１の室内側に取り付けられた部品を除去する工程と、ドアの室内側の板面に心材を配置する工程と、心材を覆うように板状のパネル部材を取り付ける工程とを備えていればよく他の工程は省略することができる。この実施の形態において室内側に取り付けられた部品を除去する工程の後に、当該部品に対応してドア１に付設された可動部品を可動不能な状態に固定する工程を付加してもよく、板状のパネル部材を取り付ける工程の後に、当該パネル部材の周縁部に沿って飾り枠部材を取り付ける工程を付加してもよく、飾り枠部材を取り付ける工程の後に、ドアの室内側の板面、パネル部材又は飾り枠部材の表面の少なくとも１つを塗料により塗り替える工程を付加してもよい。
【図面の簡単な説明】
【００２７】
【図１】本発明の実施の形態に係るドアのリフォーム方法を適用する前の既存のドアを示す図である。
【図２】本発明の実施の形態に係るドアのリフォーム方法における工程を示す図である。
【図３】本発明の実施の形態に係るドアのリフォーム方法における工程を示す図である。
【図４】本発明の実施の形態に係るドアのリフォーム方法における工程を示す図である。
【図５】本発明の実施の形態に係るドアのリフォーム方法における工程を示す図である。
【図６】本発明の実施の形態に係るドアのリフォーム方法における工程を示す図である。
【図７】本発明の実施の形態に係るドアのリフォーム方法によりリフォームされたドアの一部を示す拡大断面図である。
【符号の説明】
【００２８】
１    ドア
１ａ  周縁部分
１ｂ  室内側の板面
１ｃ  室外側の板面
１ｄ  投入口
１ｆ  投入口
２    郵便受け部品
２ａ  蓋体
２ｂ  溶接部分
３    牛乳受け部品
３ａ  蓋体
３ｂ  溶接部分
５    心材
６    パネル部材
６ａ  溶接部分
７    飾り枠部材
【図１】
2005248642.tif 000003
【図２】
2005248642.tif 000004
【図３】
2005248642.tif 000005
【図４】
2005248642.tif 000006
【図５】
2005248642.tif 000007
【図６】
2005248642.tif 000008
【図７】
2005248642.tif 000009